(57)【要約】【課題】  幅木を固定するための幅木固定器具を設置する場合、幅木固定器具は係止部の大きさが足場板の幅や厚さがある程度一致していなければ取り付けることができず、取り付けられる足場板が限定されてしまうという問題がある。【解決手段】  足場板に幅木を保持するための幅木固定金具であって、略水平方向に配置される前記足場板において、前記足場板の縁部を上下方向から挟持する足場板挟持部と、前記足場板の幅方向の最端の外側に少なくとも一部が立設される前記幅木を保持する幅木保持部とを備え、前記足場板挟持部は前記足場板を上から押える上圧板と下から支える支持部とを含み、前記幅木保持部は前記幅木を載せるための載置板とを含み、前記上圧板と前記載置板とが連接されている。 【選択図】  図３
2017203286.tif 000002
【特許請求の範囲】
【請求項１】
足場板に幅木を保持するための幅木固定金具であって、略水平方向に配置される前記足場板において、前記足場板の縁部を上下方向から挟持する足場板挟持部と、前記足場板の幅方向の最端の外側に少なくとも一部が立設される前記幅木を保持する幅木保持部とを備え、前記足場板挟持部は前記足場板を上から押える上圧板と下から支える支持部とを含み、前記幅木保持部は前記幅木を載せるための載置板を含み、前記上圧板と前記載置板とが連接されていることを特徴とする幅木固定金具。
【請求項２】
前記足場板挟持部は、前記支持部と前記上圧板との距離を調節できる昇降金具と、前記足場板の幅方向の側面と対向する側板とを備え、前記側板の平面上に前記幅木保持部の一部が含まれていることを特徴とする請求項１に記載の幅木固定金具。
【請求項３】
前記支持部は前記支持部の上面の先端に凸状の上突部を備えており、前記上突部に近づくほど前記支持部の上面が上方向に傾斜することを特徴とする請求項１又は２に記載の幅木固定金具。
【請求項４】
前記幅木保持部は前記載置板に立設された対向する一対の第１挟持板、第２挟持板とを備えており、前記第１挟持板、第２挟持板の少なくとも片方には貫通孔を有しており、前記貫通孔にナット及びネジを備えていることを特徴とする請求項１乃至３のいずれかに記載の幅木固定金具。
【請求項５】
前記第１挟持板、第２挟持板は前記載置板から８５度〜９５度の範囲で曲がっていることを特徴とする請求項４に記載の幅木固定金具。
【請求項６】
足場板に幅木を保持するための幅木固定金具の製造方法であって、
略水平方向に配置される前記足場板の幅方向の縁部において、前記足場板を上下方向から挟持する足場板挟持部と、前記足場板の幅方向の最端の外側に少なくとも一部が立設される前記幅木を保持する幅木保持部とを備え、前記足場板挟持部は前記足場板を上から押える上圧板と下から支える支持部とを含み、前記幅木保持部は前記幅木を載せるための載置板と、前記載置板に立設された対向する一対の第１挟持板、第２挟持板とを備えてあり、前記上圧板、前記載置板と前記第１挟持板、第２挟持板とは同一金属板から製造されており、少なくとも前記第１挟持板に関しては前記金属板に切り込みを入れ、切り込みによって分画される前記金属板の片方を、切り込みに対して８５度〜９５度の範囲で折曲することで形成したものであることを特徴とする幅木固定金具の製造方法。
【発明の詳細な説明】
【技術分野】
【０００１】
本発明は、仮設足場における幅木固定金具に関する。
【背景技術】
【０００２】
建設現場等で構築される建物の仮設足場において、仮設足場の作業通路である足場板から工具やボルト、ナットその他の物品が誤って落下するおそれがある。そのため物体落下防止措置として、足場に幅木を設ける等の措置を講じることが義務付けられている。
【０００３】
仮設足場における足場板に幅木を設置する方法には例えば、特許文献１に記載の足場用幅木固定器具が提案されている。この足場用幅木固定器具は幅木を足場板に固定するための器具であり、幅木を保持するための凹状部と足場を構成する足場板に着脱自在に取り付けられる係止部を設けた構成を有している。
【先行技術文献】
【特許文献】
【０００４】
【特許文献１】特開２０１１−２４６９９４号公報
【発明の概要】
【発明が解決しようとする課題】
【０００５】
しかしながら、特許文献１の幅木固定器具は係止部の大きさが足場板の幅及び厚さがある程度一致していなければ取り付けることができず、取り付けられる足場板が限定されてしまうという問題がある。
【０００６】
それ故に、本発明は、上記のような課題に鑑みてなされたものであって、本発明の目的の１つは、使用する足場板の選択の自由度を向上させることができる幅木固定金具を提供する。
【課題を解決するための手段】
【０００７】
上記目的を達成するために、本発明は、少なくとも以下のような構成を備え、もしくは手順を実行する。なお、以下の説明において、本発明の理解を容易にするために図面に示されている符号等を付記する場合があるが、本発明の各構成要素は、図面に示されているものに限定されるものではなく、当業者が技術的に理解しうる範囲にまで広く解釈されるべきものである。
【０００８】
本発明の一局面に係る発明は、足場板に幅木を保持するための幅木固定金具であって、略水平方向に配置される前記足場板において、前記足場板の縁部を上下方向から挟持する足場板挟持部と、前記足場板の幅方向の最端の外側に少なくとも一部が立設される前記幅木を保持する幅木保持部とを備え、前記足場板挟持部は前記足場板を上から押える上圧板と下から支える支持部とを含み、前記幅木保持部は前記幅木を載せるための載置板を含み、前記上圧板と前記載置板とが連接されていることを特徴とする。かかる構成により、本発明の一局面に係る幅木固定金具は、足場板の縁部を上下方向から挟持する足場板挟持部を持つことで、幅の長い足場板にも使用できる。
【０００９】
また、好ましくは、前記足場板挟持部は、前記支持部と前記上圧板との距離を調節できる昇降金具と、前記足場板の幅方向の側面と対向する側板とを備え、前記側板の平面上に前記幅木保持部の一部が含まれていることを特徴とする。かかる構成により、幅木保持部を足場板縁部に保持することができ、さらに厚さが異なる足場板に使用できる。
【００１０】
また、好ましくは、前記支持部は前記支持部の上面の先端に凸状の上突部を備えており、前記上突部に近づくほど前記支持部の上面が上方向に傾斜することを特徴とする。かかる構成により幅木固定金具を足場板に付けた場合、幅木固定金具が外れにくくなる。
【００１１】
また、好ましくは、前記幅木保持部は前記載置板と前記載置板に立設された対向する一対の第１挟持板、第２挟持板とを備えており、前記第１挟持板、第２挟持板の少なくとも片方には貫通孔を有しており、前記貫通孔にナット及びネジを備えていることを特徴とする。かかる構成により、厚さの異なる幅木を挟持することができる。
【００１２】
また、好ましくは、前記第１挟持板、第２挟持板は前記載置板から８５度〜９５度の範囲で曲がっていることを特徴とする。かかる構成により、これらの挟持板が別体であって、これらを溶接その他の方法によって一体化させる場合に比べて高強度な構造とし易くできる。
【００１３】
本発明の一局面に係る発明は、足場板に幅木を保持するための幅木固定金具の製造方法であって、略水平方向に配置される前記足場板の幅方向の縁部において、前記足場板を上下方向から挟持する足場板挟持部と、前記幅木が前記足場板の幅方向の最端の外側に少なくとも一部が立設される前記幅木を保持する幅木保持部とを備え、前記足場板挟持部は前記足場板を上から押える上圧板と下から支える支持部とを含み、前記幅木保持部は前記幅木を載せるための載置板と、前記載置板に立設された対向する一対の第１挟持板、第２挟持板とを備えてあり、前記上圧板と前記載置板と前記第１挟持板、第２挟持板とは同一金属板から製造されており、前記第１挟持板に関しては前記金属板に切り込みを入れ８５度〜９５度の範囲で折曲することで形成したものであることを特徴とする。かかる手法により簡易に高強度の幅木固定金具を作製することができる。
【発明の効果】
【００１４】
以上のように、本発明によれば、
（１）  足場板の選択の自由度を向上させることができる。
（２）  設置された幅木を足場板の外側に配置できるため、足場板上の歩行・作業を阻害しない。
（３）  本発明金具を設置したとき、足場板上に存在するのは上圧板のみであって、これはボルトの頭等の突出部材ではないため、足場板の歩行・作業を阻害しない。
【図面の簡単な説明】
【００１５】
【図１】本発明の実施形態に係る仮設足場の構成を示す斜視図である。
【図２】図１に示す仮設足場の足場板に幅木固定金具を取り付けた外観を示す斜視図である。
【図３】本発明に係る幅木固定金具の一例を概略的に示す斜視図である。
【図４】図３に示す幅木固定金具の足場板挟持部の断面図である。
【図５】（ａ）（ｂ）（ｃ）は、本発明の幅木固定金具の製造手順の一例を経時的且つ概略的に示した斜視図である。
【発明を実施するための形態】
【００１６】
以下、本発明の各実施形態について、図面を参照しながら具体的に説明する。なお、以下で説明する実施形態は、あくまで、本発明を実施するための具体的な一例を挙げるものであって、本発明を限定的に解釈させるものではない。
【００１７】
＜実施形態＞
図１は本発明を実施する仮設足場６０の一例を示すものである。上下方向に伸びる支柱７０の間に横架材８０が水平に架け渡されることで支柱７０と横架材８０とが枠組みされる。そして横架材８０間に足場板５０が架設されて仮設足場６０が構成される。幅木４０はこの足場板５０の周囲に立設されるが、図１には描かれていない。
また図２は、図１で説明した仮設足場６０において、本発明に係る幅木固定金具１を足場板５０に取り付け、これに幅木４０を保持させた状態を示したものである。
【００１８】
なお、本例の仮設足場６０として枠組足場を描出しているが、本発明に係る幅木固定金具１は図示した枠組足場に限らず、単管足場やクサビ式緊結足場など、足場板５０が配置されるタイプの足場であれば基本的にどんな足場板５０についても使用可能である。
【００１９】
そして図３が本発明に係る幅木固定金具１の一例の斜視図である。本実施形態の幅木固定金具１は、幅木４０を足場板縁部に沿って立設状態で保持するためのものであり、足場板縁部に上下方向から挟持する足場板挟持部２と幅木４０を保持するための幅木保持部３を備えている。  
【００２０】
足場板挟持部２は支持部５と上圧板４との距離を調節できる昇降金具７と、足場板５０の幅方向の側面と対向する側板６とを備えていることを特徴とする。昇降金具７によって支持部５を上下に動かすことができ、上圧板４と支持部５で足場板５０を上下方向から挟持する形でその足場板縁部に固定できる。
【００２１】
この昇降金具７の構造により上圧板４と支持部５の距離は１５mm〜６０mmの範囲で動く。そのため、足場板５０の厚さが１５mm〜６０mmの間であれば、どのような足場板５０にも使用できる。
【００２２】
支持部５の先端には上突部８が設けられている。これは特に足場板５０の裏側に引っ掛かる部分があれば、幅木固定金具が足場板から外れそうになる場合、上突部８が引っ掛って係合するため外れない構造となっている。  
【００２３】
図４は足場板挟持部２部分で断面した本発明幅木固定金具１の断面図である。昇降金具７は支持部上板９の内部に第１ナット１０を有しており、そこに上圧板４に穿設された第１貫通孔１２を通して第１ネジ１１と第１ナット１０を螺合させ回転させることで支持部５を上下に昇降させることができる。
第１ネジ１１を回転させ、上圧板４と支持部５を適当な間隔に広げた後、足場板５０に嵌め込み、第１ネジ１１を回動させ支持部５を上に動かすことにより足場板５０を上圧板４と支持部５で挟み、足場板５０の側面を側板６で支えることで足場板縁部に幅木固定金具１は固定できる。  
【００２４】
幅木保持部３は載置板１３と載置板１３に立設された対向する一対の第１挟持板１４、第２挟持板１５とで形成されており、これらで形成されている空間である凹状部１６に幅木４０を立設状態で挿入することができる。また幅木保持部３と上圧板４は一枚の金属板に切り込みをいれ、折曲加工によって形成されている。この折曲加工は直角に曲げるのが好ましいが、８５度〜９５度の範囲であれば幅木を固定できるため構わない。
【００２５】
第２挟持板１５は第２貫通孔１７を有している。第２貫通孔１７と第２ナット１８が重なるように第２挟持板１５の外側に第２ナット１８が固定されている。第２ナット１８の固定方法としては、溶接や接着剤などで固定することができる。図では第２ナット１８は第２挟持板１５の外側に固定されているが、第２挟持板１５の内側に固定してもかまわない。
【００２６】
幅木４０を凹状部１６に入れた後、固定された第２ナット１８に第２ネジ１９を螺合させることにより、第１挟持板１４と第２ネジ１９の先端部により挟むことで幅木を固定することができる。第２ネジ１９の先端部には丸金具２０が溶接されている。これにより、幅木を挟持する際、接触面積を広くすることによって、応力を分散させることができ、幅木を傷めることを防ぐことができる。先端部の面積を広くするため、ネジ部分よりも面積の大きい金属板、ナット等をネジ先に固定しても良い。
【００２７】
なお第２ナット１８を用いて第２ネジ１９を螺合させていたが、これに限らない。例えば第２貫通孔１７に螺旋溝を設け、そこに直接第２ネジ１９を螺合させてもよい。
【００２８】
また第１ネジ１１、第２ネジ１９共に、人の手で簡易に回転させ締める場合には蝶ネジを使用し、レンチなどの道具を使用して堅く締めたい場合などはボルトやナット等を使用し、用途によって使い分けるのが好ましい。
【００２９】
このようにして幅木固定金具１を足場板５０に取り付け、幅木４０を保持することで、図２の如き状態となるわけであるが、幅木固定金具１は足場板５０の縁部に上圧板４と支持部５で足場板を上下方向から挟持する形でその足場板縁部に固定されている。さらに側板６がストッパーの役目を有しており、幅木保持部３が足場板縁部に沿った位置に留まれるようにしている。
【００３０】
このとき、幅木固定金具１は足場板５０の長手方向の端部に複数、間隔を空けて取り付ける。その際、幅木固定金具１の取り付け位置は足場板５０の長さや、幅木４０の長さ等を考慮して安全性に配慮する。しかし、足場板５０が極端に短い場合などは幅木固定金具１を中央付近に一ヶ所、取り付けるだけでもかまわない。
【００３１】
その際、足場板側面と側板６とが触れるまで嵌め込み、昇降金具７の第１ネジ１１をレンチ等の道具を使用してきつく締め、揺らがないか確認し設置する。
しかし、上圧板４と支持部５により足場縁部を挟持する力によって本発明に係る幅木固定金具１は足場板５０に固定されるのであるが、一旦固定されてしまうと、重心が足場板５０の外側にあること、幅木４０も足場板５０の外側に配置されること、の双方の理由で、本発明に係る幅木固定金具１は支持部先端位置を中心に回転しようとする。もちろん実際には足場板５０が存在するため自由に回転することはできないので、足場板端面の上端が上圧板４の裏面を押圧する形で静止し、この部分に大きな摩擦力生じる。従って、上圧板４と支持部５の間に加えられる挟持力は大きなものである必要がないため、蝶ネジなど人の手で簡易に回転させ締めるものでもかまわない。
【００３２】
幅木４０は凹状部１６に嵌め込まれ、第１挟持板１４と第２ネジ１９の先端に取り付けてある丸金具２０によって保持されている。これは幅木４０を凹状部１６に嵌め込んだ後、レンチ等の道具を使用し、第２ネジ１９を回し、第２ネジ１９の先端についている丸金具２０と第１挟持板１４とでしっかりと挟みこむことで保持している。
【００３３】
幅木４０の材質はここまで木材であることを前提に説明してきたが、これに限らず樹脂製、金属等、どのような材質にも対応できる。
【００３４】
次に幅木固定金具１の製造方法について図５（ａ）乃至（ｃ）を用いて説明する。
図５（ａ）は一枚の金属板９０である。この金属板９０に図５（ｂ）のように第１切込み１００と第２切込み１１０の２ヶ所に切込みを入れ、余剰部分があれば切り落とし、さらに２ヶ所貫通孔をあける。この貫通孔が第１貫通孔１２及び第２貫通孔１７になる。
第１切込み１００と第２切込み１１０から第１折曲線１２０と第２折曲線１３０を８５度〜９５度の範囲で折曲することで図５（ｃ）のような上圧板４、載置板１３と第１挟持板１４、第２挟持板１５が形成される。
【００３５】
以上のように、本発明の実施形態に係る幅木固定金具１を使用すると足場板５０の選択の自由度を向上させることができる。
【産業上の利用可能性】
【００３６】
本発明に係る幅木固定金具は足場板が配置されている仮設足場において、幅木を設置する際に有用である。
【符号の説明】
【００３７】
１  幅木固定金具
２  足場板挟持部
３  幅木保持部
４  上圧板
５  支持部
６  側板
７  昇降金具
８  上突部
９  支持部上板
１０  第１ナット
１１  第１ネジ
１２  第１貫通孔
１３  載置板
１４  第１挟持板
１５  第２挟持板
１６  凹状部
１７  第２貫通孔
１８  第２ナット
１９  第２ネジ
２０  丸金具
４０  幅木
５０  足場板
６０  仮設足場
７０  支柱
８０  横架材
９０  金属板
１００  第１切込み
１１０  第２切込み
１２０  第１折曲線
１３０  第２折曲線
【図１】
2017203286.tif 000003
【図２】
2017203286.tif 000004
【図３】
2017203286.tif 000005
【図４】
2017203286.tif 000006
【図５】
2017203286.tif 000007